(57)【特許請求の範囲】
【請求項１】
少なくとも第１の時系列及び第２の時系列において励起光を発光する励起光源と、
少なくとも第３の時系列において少なくとも１種の色のレーザを含む補償光を発光する補償光源と、
第１の時系列及び第２の時系列において、前記励起光の照射下で少なくとも２種の異なる色の光を時系列的に発生する第１の領域と、少なくとも第３の時系列において、前記補償光を透過させる第２の領域とを少なくとも含む回転カラーホイールと、
を含み、
前記少なくとも２種の異なる色の光は、少なくとも１種の広スペクトルの蛍光を含み、
前記少なくとも１種の色のレーザは前記蛍光又は前記蛍光から分光された光を補償し、
前記少なくとも１種の色のレーザのスペクトル範囲と前記蛍光のスペクトル範囲とは一部重なる
ことを特徴とする光源システム。
【請求項２】
前記蛍光のスペクトル範囲が４８０ｎｍ〜７００ｎｍであることを特徴とする請求項１に記載のシステム。
【請求項３】
前記補償光源は、第１の補償光を発光する第１の補償光源と、第２の補償光を発光する第２の補償光源とを含むことを特徴とする請求項２に記載のシステム。
【請求項４】
前記励起光源を、第１の時系列及び第２の時系列においてオンにし、第３の時系列においてオフにするように制御し、前記補償光源を、第３の時系列においてオンにし、第１の時系列及び第２の時系列においてオフにするように制御するコントローラをさらに含むことを特徴とする請求項３に記載のシステム。
【請求項５】
前記第１の領域は、蛍光カラーセグメント及び反射カラーセグメントを含み、
第１の時系列において前記反射カラーセグメントが前記励起光を反射し、第２の時系列において前記蛍光カラーセグメントが前記励起光の照射下で黄色光を発生し、第３の時系列において前記第２の領域が前記第１の補償光及び第２の補償光を透過させることを特徴とする請求項４に記載のシステム。
【請求項６】
前記蛍光カラーセグメントは黄色光蛍光体粉末を有するカラーセグメントであり、
前記反射カラーセグメントは光散乱粉末を有するカラーセグメントであり、
前記第２の領域は透過型拡散カラーセグメントであることを特徴とする請求項５に記載のシステム。
【請求項７】
前記励起光源及び補償光源が前記回転カラーホイールの両側に設置される場合に、前記光源システムは、少なくとも一つの領域コーティングフィルタをさらに含み、前記領域コーティングフィルタが前記励起光源と回転カラーホイールとの間に設置されており、前記領域コーティングフィルタが前記励起光、被励起光及び補償光を反射することを特徴とする請求項６に記載のシステム。
【請求項８】
前記光源システムは、コントローラをさらに含み、
前記コントローラは、以下のように制御するためのものであり、
前記励起光源を、第１の時系列及び第２の時系列においてオンにし、第３の時系列においてオフにするように制御し、または、前記励起光源を常時オンにするように制御し、
前記第１の補償光源を、第３の時系列においてオンにし、第１の時系列及び第２の時系列においてオフにするように制御し、前記第２の補償光源を、第２の時系列及び第３の時系列においてオンにし、第１の時系列においてオフにするように制御し、または、前記第２の補償光源を、第３の時系列においてオンにし、第１の時系列及び第２の時系列においてオフにするように制御し、前記第１の補償光源を、第２の時系列及び第３の時系列においてオンにし、第１の時系列においてオフにするように制御することを特徴とする請求項３に記載のシステム。
【請求項９】
前記励起光源及び補償光源が前記回転カラーホイールの両側に設置される場合に、前記光源システムは、少なくとも一つの領域コーティングフィルタ及び一つのダイクロイックミラーをさらに含み、
前記領域コーティングフィルタが前記励起光源と回転カラーホイールとの間に設置されており、被励起光及び補償光を反射し、
前記ダイクロイックミラーが前記補償光源と回転カラーホイールとの間に設置されており、前記補償光を透過させて前記励起光を反射することを特徴とする請求項８に記載のシステム。
【請求項１０】
前記第１の領域は、蛍光カラーセグメント及び透明カラーセグメントを含み、第１の時系列において前記蛍光カラーセグメントが前記励起光の照射下で黄色光を発生し、第２の時系列において前記透明カラーセグメントが前記励起光及び第１の補償光を透過させ、または、第２の時系列において前記透明カラーセグメントが前記励起光及び第２の補償光を透過させ、
第３の時系列において前記第２の領域が前記第１の補償光及び第２の補償光を透過させることを特徴とする請求項９に記載のシステム。
【請求項１１】
前記蛍光カラーセグメントは黄色光蛍光体粉末を有するカラーセグメントであり、
前記透明カラーセグメント及び前記第２の領域は透過型拡散カラーセグメントであることを特徴とする請求項１０に記載のシステム。
【請求項１２】
前記励起光は青色光であり、前記第１の補償光は赤色光であり、前記第２の補償光はシアン光であることを特徴とする請求項７又は１１に記載のシステム。
【請求項１３】
請求項１から１２のいずれか１項に記載の光源システムと、
前記異なる色の光を異なる光路に沿って伝送する光に分光し、前記補償光を対応する色の光と同一光路に沿って伝送させる分光システムと、
複数個の光変調器を含む光変調システムであって、前記光路から伝送される光を変調するように前記光路とそれぞれ対応する光変調システムと、を含むことを特徴とする投影システム。
【請求項１４】
前記第１の領域が蛍光カラーセグメント及び反射カラーセグメントを含む場合に、前記分光システムは、第１の時系列において前記反射後の励起光を第２の光路に沿って伝送させ、第２の時系列において黄色光を第１の光路に沿って伝送される赤色光及び第２の光路に沿って伝送される緑色光に分光し、第３の時系列において第１の補償光を第１の光路に沿って伝送させ、第２の補償光を第２の光路に沿って伝送させることを特徴とする請求項１３に記載のシステム。
【請求項１５】
前記第１の領域が蛍光カラーセグメント及び透過カラーセグメントを含み、かつ、第１の補償光源が第２の時系列及び第３の時系列においてオンする場合に、前記分光システムは、第１の時系列において黄色光を第１の光路に沿って伝送される緑色光及び第２の光路に沿って伝送される赤色光に分光し、第２の時系列において第１の補償光を第２の光路に沿って伝送させ、透過後の励起光を第１の光路に沿って伝送させ、第３の時系列において前記第１の補償光を第２の光路に沿って伝送させ、第２の補償光を第１の光路に沿って伝送させることを特徴とする請求項１３に記載のシステム。
【請求項１６】
前記第１の領域が蛍光カラーセグメント及び透過カラーセグメントを含み、かつ、第２の補償光源が第２の時系列及び第３の時系列においてオンする場合に、前記分光システムは、第１の時系列において黄色光を第１の光路に沿って伝送される赤色光及び第２の光路に沿って伝送される緑色光に分光し、第２の時系列において透過後の励起光を第１の光路に伝送させ、第２の補償光を第２の光路に沿って伝送させ、第３の時系列において第１の補償光を第１の光路に沿って伝送させ、前記第２の補償光を第２の光路に沿って伝送させることを特徴とする請求項１３に記載のシステム。
【請求項１７】
前記光変調システムは、前記第１の光路から伝送された光を変調する第１の光変調器と、前記第２の光路から伝送された光を変調する第２の光変調器とを含むことを特徴とする請求項１４から１６のいずれか１項に記載のシステム。
【請求項１８】
前記第１の領域が蛍光カラーセグメント及び透過カラーセグメントを含み、かつ、前記第１の補償光源が第２の時系列及び第３の時系列においてオンする場合に、前記分光システムは、第１の時系列において黄色光を第１の光路に沿って伝送される緑色光、第２の光路に沿って伝送される赤色光及び第３の光路に沿って伝送される励起光に分光し、第２の時系列において第１の補償光を第２の光路に沿って伝送させ、透過後の励起光を第１の光路及び第３の光路に沿って伝送させ、第３の時系列において前記第１の補償光を第２の光路に沿って伝送させ、第２の補償光を第１の光路に沿って伝送させ、前記透過後の励起光を第３の光路に沿って伝送させることを特徴とする請求項１３に記載のシステム。
【請求項１９】
前記第１の領域が蛍光カラーセグメント及び透過カラーセグメントを含み、かつ、前記第２の補償光源が第２の時系列及び第３の時系列においてオンする場合に、前記分光システムは、第１の時系列において黄色光を第１の光路に沿って伝送される赤色光、第２の光路に沿って伝送される緑色光及び第３の光路に沿って伝送される励起光に分光し、第２の時系列において透過後の励起光を第１の光路及び第３の光路に沿って伝送させ、第２の補償光を第２の光路に沿って伝送させ、第３の時系列において第１の補償光を第１の光路に沿って伝送させ、前記第２の補償光を第２の光路に沿って伝送させ、前記透過後の励起光を第３の光路に沿って伝送させることを特徴とする請求項１３に記載のシステム。
【請求項２０】
前記光変調システムは、前記第１の光路から伝送された光を変調する第１の光変調器と、前記第２の光路から伝送された光を変調する第２の光変調器と、前記第３の光路から伝送された光を変調する第３の光変調器とを含むことを特徴とする請求項１８又は１９に記載のシステム。
【発明の詳細な説明】
【技術分野】
【０００１】
本発明は、プロジェクタ技術分野に関し、より具体的には、光源システム及び投影システムに関する。
【背景技術】
【０００２】
ＤＬＰ（Ｄｉｇｉｔａｌ  Ｌｉｇｈｔ  Ｐｒｏｃｅｓｓｉｏｎ，デジタル光学処理）投影技術は、ＤＭＤ（Ｄｉｇｉｔａｌ  Ｍｉｃｒｏ  ｍｉｒｒｏｒ  Ｄｅｖｉｃｅ，デジタルマイクロミラーデバイス）によって可視的なデジタル情報の表示を完成する技術である。従来のＤＬＰ投影システムでは、一枚式のＤＭＤ又は三枚式のＤＭＤを用いることが一般であるが、二枚式のＤＭＤ投影システムは発光効率とコストとを両立する利点を有するため、二枚式のＤＭＤ投影システムも広く使用されている。
【０００３】
従来の二枚式のＤＭＤ投影システムは、ほとんど青色レーザで黄色光蛍光体粉末を励起することにより時系列的な青色光及び黄色光を発生させ、さらに分光・光合成プリズムによって黄色光を緑色光および赤色光に分光することにより、投影に必要な赤・緑・青の３つの基本色光を構成する。しかしながら、緑色光及び赤色光が黄色光から分光された光であるので、赤色光及び緑色光の色座標が色域規格から一定の差がある。
【０００４】
これに基づき、従来技術では、緑色光及び赤色光の色座標をより色域規格に近接させるように、レーザ光源を補助光源として二枚式のＤＭＤ投影システムに用いる方式を提供する。例えば、赤色レーザを補償光として用いる場合に、赤色レーザ及び青色レーザを共に黄色蛍光体粉末上に入射させ、赤色レーザが黄色蛍光体粉末を励起しないので、青色光、黄色光及び赤色レーザの混合光を得ることができ、このように、赤色レーザによって赤色光の色域を補償して、赤色光の色座標をより色域規格に近接させることができる。しかしながら、赤色レーザ等の補償光を蛍光体粉末上に入射すると、補償光が蛍光体粉末の散乱損失による影響を受け、補償光の利用効率が低くなってしまう。
【発明の概要】
【発明が解決しようとする課題】
【０００５】
これを鑑みて、本発明は、従来技術において補償光の利用効率が低いという課題を解決するように、光源システム及び投影システムを提供する。
【課題を解決するための手段】
【０００６】
上記目的を実現するために、本発明は、少なくとも第１の時系列及び第２の時系列において励起光を発光する励起光源と、少なくとも第３の時系列において補償光を発光して、発光した補償光が少なくとも１種の色のレーザを含む補償光源と、第１の時系列及び第２の時系列において、前記励起光の照射下で少なくとも２種の異なる色の光を時系列的に発生する第１の領域と、少なくとも第３の時系列において、前記補償光を透過させる第２の領域とを少なくとも含む回転カラーホイールと、を含み、前記少なくとも２種の異なる色の光は、少なくとも１種の広スペクトルの蛍光を含み、前記少なくとも１種の色のレーザは、前記蛍光又は前記蛍光から分光された光を補償する光源システムを提供する。
【０００７】
好ましくは、前記補償光のスペクトル範囲が前記異なる色の光のスペクトル範囲とは一部重なっている。
【０００８】
好ましくは、前記補償光源は、第１の補償光を発光する第１の補償光源と、第２の補償光を発光する第２の補償光源を含む。
【０００９】
好ましくは、前記光源システムは、前記励起光源を、第１の時系列及び第２の時系列においてオンにし、第３の時系列においてオフにするように制御し、前記補償光源を、第３の時系列においてオンにし、第１の時系列及び第２の時系列においてオフにするように制御するコントローラをさらに含む。
【００１０】
好ましくは、前記第１の領域は、蛍光カラーセグメント及び反射カラーセグメントを含み、第１の時系列において前記反射カラーセグメントが前記励起光を反射し、第２の時系列において前記蛍光カラーセグメントが前記励起光の照射下で黄色光を発生し、第３の時系列において前記第２の領域が前記第１の補償光及び第２の補償光を透過させる。
【００１１】
好ましくは、前記蛍光カラーセグメントは黄色光蛍光体粉末を有するカラーセグメントであり、前記反射カラーセグメントは光散乱粉末を有するカラーセグメントであり、前記第２の領域は透過型拡散カラーセグメントである。
【００１２】
好ましくは、前記励起光源及び補償光源が前記回転カラーホイールの両側に設置される場合に、前記光源システムは、少なくとも一つの領域コーティングフィルタをさらに含み、前記領域コーティングフィルタが前記励起光源と回転カラーホイールとの間に設置されており、前記励起光、被励起光及び補償光を反射する。
【００１３】
好ましくは、前記光源システムはコントローラをさらに含み、前記コントローラは、前記励起光源を、第１の時系列及び第２の時系列においてオンにし、第３の時系列においてオフにするように制御し、または、前記励起光源を常時オンにするように制御して、前記第１の補償光源を、第３の時系列においてオンにし、第１の時系列及び第２の時系列においてオフにするように制御し、前記第２の補償光源を、第２の時系列及び第３の時系列においてオンにし、第１の時系列においてオフにするように制御し、または、前記第２の補償光源を、第３の時系列においてオンにし、第１の時系列及び第２の時系列においてオフにするように制御し、前記第１の補償光源を、第２の時系列及び第３の時系列においてオンにし、第１の時系列においてオフにするように制御する。
【００１４】
好ましくは、前記励起光源及び補償光源が前記回転カラーホイールの両側に設置される場合に、前記光源システムは、少なくとも一つの領域コーティングフィルタ及び一つのダイクロイックミラーをさらに含み、前記領域コーティングフィルタが前記励起光源と回転カラーホイールとの間に設置されており、前記被励起光及び補償光を反射し、前記ダイクロイックミラーが前記補償光源と回転カラーホイールとの間に設置されており、前記補償光を透過させて前記励起光を反射する。
【００１５】
好ましくは、前記第１の領域は、蛍光カラーセグメント及び透明カラーセグメントを含み、第１の時系列において前記蛍光カラーセグメントが前記励起光の照射下で黄色光を発生し、第２の時系列において前記透明カラーセグメントが前記励起光及び第１の補償光を透過させ、または、第２の時系列において前記透明カラーセグメントが前記励起光及び第２の補償光を透過させ、第３の時系列において前記第２の領域が前記第１の補償光及び第２の補償光を透過させる。
【００１６】
好ましくは、前記蛍光カラーセグメントは黄色光蛍光体粉末を有するカラーセグメントであり、前記透明カラーセグメント及び前記第２の領域は透過型拡散カラーセグメントである。
【００１７】
好ましくは、前記励起光は青色光であり、前記第１の補償光は赤色光であり、前記第２の補償光はシアン光である。
【００１８】
本発明は、上記の光源システムと、前記異なる色の光を異なる光路に沿って伝送する光に分光し、前記補償光を対応する色の光と同一光路に沿って伝送させる分光システムと、複数個の光変調器を含む光変調システムであって、前記光路から伝送される光を変調するように前記光路とそれぞれ対応する光変調システムと、を含む投影システムをさらに提供する。
【００１９】
好ましくは、前記第１の領域が蛍光カラーセグメント及び反射カラーセグメントを含む場合に、前記分光システムは、第１の時系列において前記反射後の励起光を第２の光路に沿って伝送させ、第２の時系列において前記黄色光を第１の光路に沿って伝送される赤色光及び第２の光路に沿って伝送される緑色光に分光し、第３の時系列において前記第１の補償光を第１の光路に沿って伝送させ、前記第２の補償光を第２の光路に沿って伝送させる。
【００２０】
好ましくは、前記第１の領域が蛍光カラーセグメント及び透過カラーセグメントを含み、かつ、前記第１の補償光源が第２の時系列及び第３の時系列においてオンする場合に、前記分光システムは、第１の時系列において前記黄色光を第１の光路に沿って伝送される緑色光及び第２の光路に沿って伝送される赤色光に分光し、第２の時系列において前記第１の補償光を第２の光路に沿って伝送させ、前記透過後の励起光を第１の光路に沿って伝送させ、第３の時系列において前記第１の補償光を第２の光路に沿って伝送させ、前記第２の補償光を第１の光路に沿って伝送させる。
【００２１】
好ましくは、前記第１の領域が蛍光カラーセグメント及び透過カラーセグメントを含み、かつ、前記第２の補償光源が第２の時系列及び第３の時系列においてオンする場合に、前記分光システムは、第１の時系列において前記黄色光を第１の光路に沿って伝送される赤色光及び第２の光路に沿って伝送される緑色光に分光し、第２の時系列において前記透過後の励起光を第１の光路に伝送させ、前記第２の補償光を第２の光路に沿って伝送させ、第３の時系列において前記第１の補償光を第１の光路に沿って伝送させ、前記第２の補償光を第２の光路に沿って伝送させる。
【００２２】
好ましくは、前記光変調システムは、前記第１の光路から伝送された光を変調する第１の光変調器と、前記第２の光路から伝送された光を変調する第２の光変調器とを含む。
【００２３】
好ましくは、前記第１の領域が蛍光カラーセグメント及び透過カラーセグメントを含み、かつ、前記第１の補償光源が第２の時系列及び第３の時系列においてオンする場合に、前記分光システムは、第１の時系列において前記黄色光を第１の光路に沿って伝送される緑色光、第２の光路に沿って伝送される赤色光及び第３の光路に沿って伝送される励起光に分光し、第２の時系列において前記第１の補償光を第２の光路に沿って伝送させ、前記透過後の励起光を第１の光路及び第３の光路に沿って伝送させ、第３の時系列において前記第１の補償光を第２の光路に沿って伝送させ、前記第２の補償光を第１の光路に沿って伝送させ、前記透過後の励起光を第３の光路に沿って伝送させる。
【００２４】
好ましくは、前記第１の領域が蛍光カラーセグメント及び透過カラーセグメントを含み、かつ、前記第２の補償光源が第２の時系列及び第３の時系列においてオンする場合、前記分光システムは、第１の時系列において前記黄色光を第１の光路に沿って伝送される赤色光、第２の光路に沿って伝送される緑色光及び第３の光路に沿って伝送される励起光に分光し、第２の時系列において前記透過後の励起光を第１の光路及び第３の光路に沿って伝送させ、前記第２の補償光を第２の光路に沿って伝送させ、第３の時系列において前記第１の補償光を第１の光路に沿って伝送させ、前記第２の補償光を第２の光路に沿って伝送させ、前記透過後の励起光を第３の光路に沿って伝送させる。
【００２５】
好ましくは、前記光変調システムは、前記第１の光路から伝送された光を変調する第１の光変調器と、前記第２の光路から伝送された光を変調する第２の光変調器と、前記第３の光路から伝送された光を変調する第３の光変調器とを含む。
【発明の効果】
【００２６】
従来技術に比べて、本発明が提供する技術案は、下記の利点を有する。
本発明が提供する光源システム及び投影システムにおいて、回転カラーホイールは第１の領域及び第２の領域を含み、第１の領域が前記励起光の照射下で少なくとも２種の異なる色の光を時系列的に発生し、前記補償光及び前記異なる色の光が投影画像を合成するように、第２の領域が前記補償光を透過させることにより、補償光を蛍光体粉末に照射する必要がなく直接に透過させ、補償光の散乱損失が低減され、補償光の利用率が向上する。
【図面の簡単な説明】
【００２７】
本発明の実施例又は従来技術における技術案をより明らかに説明するために、実施例又は従来技術の説明において使用する必要がある図面を簡単に紹介する。以下の説明における図面は本発明の実施例に過ぎず、当業者は進歩性に値する労働を行わなくても、提供する図面からその他の図面がさらに得られることが自明である。
【図１】本発明の実施例１が提供する光源システムの構造模式図である。
【図２】本発明の実施例１が提供する回転カラーホイールの構造模式図である。
【図３】本発明の実施例２が提供する光源システムの構造模式図である。
【図４】本発明の実施例２が提供する回転カラーホイールの構造模式図である。
【図５】本発明の実施例３が提供する投影システムの構造模式図である。
【図６】本発明の実施例３が提供する第１の光変調器及び第２の光変調器の制御原理図である。
【図７】本発明の実施例３が提供する励起光源、補償光源、回転カラーホイール、第１の光変調器及び第２の光変調器のタイミングチャートである。
【図８】本発明の実施例３が提供する投影画像の色域図である。
【図９】本発明の実施例４が提供する投影システムの構造模式図である。
【図１０】本発明の実施例４が提供する第１の光変調器及び第２の光変調器の制御原理図である。
【図１１】本発明の実施例４が提供する励起光源、補償光源、回転カラーホイール、第１の光変調器及び第２の光変調器のタイミングチャートである。
【図１２】本発明の実施例４が提供する励起光源、補償光源、回転カラーホイール、第１の光変調器、第２の光変調器及び第３の光変調器のタイミングチャートである。
【図１３】本発明の実施例４が提供する励起光源、補償光源、回転カラーホイール、第１の光変調器、第２の光変調器及び第３の光変調器の他のタイミングチャートである。
【図１４】本発明の実施例４が提供する励起光源、補償光源、回転カラーホイール、第１の光変調器及び第２の光変調器の他のタイミングチャートである。
【図１５】本発明の実施例４が提供する第１の光変調器及び第２の光変調器の他の制御原理図である。
【発明を実施するための形態】
【００２８】
以下、本発明の実施例における図を参照しながら、本発明の実施例における技術案をはっきりと完全に説明し、当然ながら、説明する実施例は本発明の一部の実施例に過ぎず、全ての実施例ではない。本発明における実施例に基づき、当業者は、進歩性に値する労働を行わない前提で取得した他の実施例の全ては、本発明の保護範囲に含まれる。
【実施例１】
【００２９】
本実施例は、光源システムを提供する。図１に示すように、当該光源システムは、励起光源１０１、補償光源１０２及び回転カラーホイール１０３を含み、励起光源１０１は、発光波長が４４５ｎｍの青色光の半導体レーザ装置であることが好ましく、少なくとも第１の時系列及び第２の時系列において励起光を発光し、補償光源１０２は、少なくとも第３の時系列において少なくとも１種の色のレーザを含む補償光を発光し、回転カラーホイール１０３は、第１の時系列及び第２の時系列において、励起光の照射下で少なくとも２種の異なる色の光を時系列的に発生する第１の領域と、少なくとも第３の時系列において、補償光を透過させる第２の領域を少なくとも含む。前記少なくとも２種の異なる色の光は、少なくとも１種の広スペクトルの蛍光を含み、スペクトル範囲が４８０〜７００ｎｍであり、前記少なくとも１種の色のレーザは前記蛍光又は前記蛍光から分光された光を補償する。図１に示すように、励起光源１０１及び補償光源１０２がそれぞれ回転カラーホイール１０３の両側に設けられ、かつ、当該光源システムは、さらに少なくとも一つの領域コーティングフィルタを含み、好ましくは領域コーティングフィルタ１０７及び反射ミラー１０８を含み、当該領域コーティングフィルタ１０７は、励起光源１０１と回転カラーホイール１０３との間に設けられており、励起光、被励起光及び補償光を反射ミラー１０８に反射し、反射ミラー１０８は励起光、被励起光及び補償光を反射する。また、当該光源システムは、さらに補償光源１０２と回転カラーホイール１０３との間に順次に設けられたコリメートレンズ１０９及び集光レンズ１１０と、領域コーティングフィルタ１０７と励起光源１０１との間に設けられたコリメートレンズ１１１と、領域コーティングフィルタ１０７と回転カラーホイール１０３との間に設けられた集光レンズ１１２を含む。
【００３０】
本実施例において、補償光源１０２は、第１の補償光を発光する第１の補償光源１０２１及び第２の補償光を発光する第２の補償光源１０２２を含み、本実施例における第１の補償光は、主波長が６３８ｎｍの赤色光であり、第２の補償光は、主波長が５２０ｎｍのシアン光であるが、本発明がこれに限られず、補償光のスペクトル範囲が上記異なる色の光のスペクトル範囲と一部重なっていればよい。そのうち、第１の補償光源１０２１及び第２の補償光源１０２２は、半導体レーザ装置又は発光ダイオードであることが好ましい。
【００３１】
本実施例において、図２に示すように、回転カラーホイール１０３は、第１の時系列において励起光を反射する反射カラーセグメント２０１２と、第２の時系列において励起光の照射下で黄色光を発生する蛍光カラーセグメント２０１１とを含む第１の領域２０１と、第３の時系列において第１の補償光及び第２の補償光を透過させる第２の領域２０２を含む。そのうち、蛍光カラーセグメント２０１１は黄色光蛍光体粉末を有するカラーセグメントであり、反射カラーセグメント２０１２は光散乱粉末を有するカラーセグメントであり、第２の領域２０２は透過型拡散カラーセグメントである。
【００３２】
本実施例では、第１の時系列において、励起光源１０１が発光した励起光λＢは、順次にコリメートレンズ１１１、領域コーティングフィルタ１０７及び集光レンズ１１２を通過した後に、回転カラーホイール１０３の反射カラーセグメント２０１２に入射し、当該反射カラーセグメント２０１２が励起光λＢを領域コーティングフィルタ１０７に反射し、その後、当該励起光、すなわち青色光λＢが領域コーティングフィルタ１０７及び反射ミラー１０８により反射された後に分光システムに入る。第２の時系列において、励起光源１０１が発光した励起光λＢは、回転カラーホイール１０３の蛍光カラーセグメント２０１１に入射し、当該蛍光カラーセグメント２０１１上の黄色光蛍光体粉末が励起光λＢの照射下で黄色光λＹを発生し、黄色光λＹが領域コーティングフィルタ１０７及び反射ミラー１０８により反射された後に分光システムに入る。第３の時系列において、第１の補償光源１０２１が発光した第１の補償光λＲ２及び第２の補償光源１０２２が発光した第２の補償光λＧ２は、回転カラーホイール１０３の第２の領域２０２に入射し、第２の領域２０２に透過された後に領域コーティングフィルタ１０７に入射し、その後、当該第１の補償光、すなわち赤色光λＲ２及び第２の補償光、すなわちシアン光λＧ２は領域コーティングフィルタ１０７及び反射ミラー１０８により反射された後に分光システムに入り、分光システムは異なる色の光を異なる光路に分光し、異なる光変調器が異なる色の光を変調し、変調後の光を投影画像に合成する。
【００３３】
なお、本実施例における光源システムは、励起光源１０１を第１の時系列及び第２の時系列においてオンにし、第３の時系列においてオフにするように制御し、補償光源１０２を第３の時系列においてオンにし、第１の時系列及び第２の時系列においてオフにするように制御するコントローラをさらに含む。
【００３４】
これによりわかるように、赤色光λＲ１及び赤色光λＲ２は時系列で混合された後、赤色光の色域が増大することができ、同様に、シアン光λＧ２及び緑色光λＧ１が時系列で混合された後、緑色光の色域が増大することができ、合成された投影画像がよりＤＣＩ（Ｄｉｇｉｔａｌ  Ｃｏｐｙｒｉｇｈｔ  Ｉｄｅｎｔｉｆｉｅｒ，デジタル著作権識別子システム）規格及びＲＥＣ．７０９規格を満たし、かつ、異なるプロジェクタに対しても、その色座標をＤＣＩ規格及びＲＥＣ．７０９規格の緑色光色座標及び赤色光色座標に近づけるように補正して、異なる投影システムの色域を一致させることができる。
【００３５】
本実施例が提供する光源システムにおいて、補償光が第２の領域を透過した後、異なる色の光と投影画像に合成し、補償光が蛍光体粉末に照射する必要がなく直接に透過するようになり、光源システムは、投影画像色域を補正した上、補償光の散乱損失が低減さて、補償光の利用率が向上する。
【実施例２】
【００３６】
本実施例は光源システムを提供し、本実施例における光源システムは、上記実施例が提供する光源システムの構造とほぼ同じであり、その相違点は、本実施例における回転カラーホイール４０３が、図３に示すように、第１の領域４０４と第２の領域４０５とを含む。第１の領域４０４は、第１の時系列において励起光の照射下で黄色光を発生する蛍光カラーセグメント４０４１と、第２の時系列において励起光及び第１の補償光を透過させ、または、第２の時系列において励起光及び第２の補償光を透過させる透明カラーセグメント４０４２とを含む。第２の領域４０５は、第３の時系列において第１の補償光及び第２の補償光を透過させる。具体的に、蛍光カラーセグメント４０４１は、黄色光蛍光体粉末を有するカラーセグメントであり、透明カラーセグメント４０４２及び第２の領域４０５は、透過型拡散カラーセグメントである。
【００３７】
図４に示すように、本実施例における光源システムは、少なくとも一つのダイクロイックミラー、例えばダイクロイックミラー１１４及び１１５をさらに含み、ダイクロイックミラー１１４は、補償光源１０２と回転カラーホイール４０３との間に設置されており、補償光を透過させて励起光を反射するものであり、ダイクロイックミラー１１５は、補償光及び被励起光を透過させ、励起光を反射するものである。
【００３８】
本実施例において、第１の時系列において、励起光源１０１が発光した励起光λＢはコリメートレンズ１１１、領域コーティングフィルタ１０７及び集光レンズ１１２を順次に通過した後に回転カラーホイール４０３の蛍光カラーセグメント４０４１に入射し、当該蛍光カラーセグメント４０４１上の黄色光蛍光体粉末が励起光λＢの照射下で黄色光λＹを発生し、黄色光λＹが領域コーティングフィルタ１０７及び反射ミラー１０８により反射された後に、分光システムに入る。第２の時系列において、励起光源１０１が発光した励起光λＢは回転カラーホイール４０３の透明カラーセグメント４０４２に入射し、当該励起光、すなわち青色光λＢは、回転カラーホイール４０３を透過した後、ダイクロイックミラー１１４及び１１５により反射されて分光システムに入り、同時に、第２の時系列において、第１の補償光源１０２１が発光した第１の補償光λＲ２がダイクロイックミラー１１４を透過した後に、回転カラーホイール４０３の透明カラーセグメント４０４２に入射し、当該第１の補償光λＲ２は、回転カラーホイール４０３を透過した後に、領域コーティングフィルタ１０７及び反射ミラー１０８により反射された後に分光システムに入る。第３の時系列において第１の補償光源１０２１が発光した第１の補償光λＲ２及び第２の補償光源１０２２が発光した第２の補償光λＧ２は、回転カラーホイール４０３の第２の領域４０５に入射し、第２の領域４０５により透過された後に領域コーティングフィルタ１０７に入射し、その後、当該第１の補償光、すなわち赤色光λＲ２及び第２の補償光、すなわちシアン光λＧ２が領域コーティングフィルタ１０７及び反射ミラー１０８により反射された後に分光システムに入り、分光システムが異なる色の光を異なる光路に分光し、異なる光変調器は、異なる色の光を変調し、変調後の光を投影画像に合成する。
【００３９】
なお、本実施例における光源システムは、コントローラをさらに含み、当該コントローラは、励起光源１０１を常時オンにするように制御し、または励起光源１０１を第１の時系列及び第２の時系列においてオンにし、第３の時系列においてオフにするように制御し、第２の補償光源１０２２を第３の時系列においてオンにし、第１の時系列及び第２の時系列においてオフにするように制御し、第１の補償光源１０２１を第２の時系列及び第３の時系列においてオンにし、第１の時系列においてオフにするように制御する。
【００４０】
本発明のその他の実施例において、コントローラは、励起光源１０１を常時オンにするように制御し、または励起光源１０１を第１の時系列及び第２の時系列においてオンにし、第３の時系列においてオフにするように制御し、第１の補償光源１０２１を第３の時系列においてオンにし、第１の時系列及び第２の時系列においてオフにするように制御し、第２の補償光源１０２２を第２の時系列及び第３の時系列においてオンにし、第１の時系列においてオフにするように制御する。
【００４１】
本実施例が提供する光源システムは、第１の補償光によって赤色光の色域を補償し、第２の補償光によって緑色光の色域を補償し、かつ、補償光が蛍光体粉末上に照射する必要がなく直接に透過することにより、投影画像の色域を補正した上、補償光の散乱損失が低減され、補償光の利用率が向上する。
【実施例３】
【００４２】
本実施例は投影システムを提供し、図５に示すように、当該投影システムは、励起光源１０１、補償光源１０２、回転カラーホイール１０３、分光システム１０４、第１の光変調器１０５及び第２の光変調器１０６を含む。そのうち、励起光源１０１は、発光波長が４４５ｎｍの青色光の半導体レーザ装置であることが好ましく、少なくとも第１の時系列及び第２の時系列において励起光を発光し、補償光源１０２は、少なくとも第３の時系列において補償光を発光し、回転カラーホイール１０３は、少なくとも、第１の時系列及び第２の時系列において、励起光の照射下で少なくとも２種の異なる色の光を時系列的に発生する第１の領域と、補償光が異なる色の光と投影画像を合成するように、第３の時系列において、補償光を透過させる第２の領域とを含み、分光システム１０４は、異なる色の光を第１の光路に沿って伝送される光及び第２の光路に沿って伝送される光に分け、補償光と、対応する色の光とを同一光路に沿って伝送させる。本実施例において光変調システムは、第１の光路に沿って伝送される光を変調する第１の光変調器１０５と、第２の光路に沿って伝送される光を変調する第２の光変調器１０６とを含む。
【００４３】
図５に示すように、励起光源１０１及び補償光源１０２がそれぞれ回転カラーホイール１０３の両側に設けられており、かつ、当該投影システムは、少なくとも一つの領域コーティングフィルタをさらに含み、好ましくは領域コーティングフィルタ１０７及び反射ミラー１０８を含む。当該領域コーティングフィルタ１０７は、励起光源１０１と回転カラーホイール１０３との間に設けられており、励起光、被励起光及び補償光を反射ミラー１０８に反射するものであり、反射ミラー１０８は、励起光、被励起光及び補償光を分光システム１０４に反射するものである。また、当該投影システムは、さらに補償光源１０２と回転カラーホイール１０３との間に順次に設置されているコリメートレンズ１０９及び集光レンズ１１０と、領域コーティングフィルタ１０７と励起光源１０１との間に設置されているコリメートレンズ１１１と、領域コーティングフィルタ１０７と回転カラーホイール１０３との間に設置されている集光レンズ１１２と、を含む。
【００４４】
本実施例において、補償光源１０２は、第１の補償光を発光する第１の補償光源１０２１と、第２の補償光を発光する第２の補償光源１０２２とを含む。本実施例における第１の補償光は、主波長が６３８ｎｍの赤色光であり、第２の補償光は、主波長が５２０ｎｍのシアン光であるが、本発明はこれに限られず、補償光のスペクトル範囲が上記異なる色の光のスペクトル範囲と一部重なっていればよい。そのうち、第１の補償光源１０２１及び第２の補償光源１０２２は、半導体レーザ装置又は発光ダイオードであることが好ましい。
【００４５】
本実施例において、図２に示すように、回転カラーホイール１０３は第１の領域２０１と第２の領域２０２とを含む。第１の領域２０１は、第１の時系列において励起光を反射する反射カラーセグメント２０１２と、第２の時系列において励起光の照射下で黄色光を発生する蛍光カラーセグメント２０１１とを含む。第２の領域２０２は第３の時系列において第１の補償光及び第２の補償光を透過させる。そのうち、蛍光カラーセグメント２０１１は、黄色光蛍光体粉末を有するカラーセグメントであり、反射カラーセグメント２０１２は光散乱粉末を有するカラーセグメントであり、第２の領域２０２は透過型拡散カラーセグメントである。
【００４６】
本実施例では、第１の時系列において、励起光源１０１が発光した励起光λＢは、コリメートレンズ１１１、領域コーティングフィルタ１０７及び集光レンズ１１２を順次に通過した後に回転カラーホイール１０３の反射カラーセグメント２０１２に入射し、当該反射カラーセグメント２０１２が励起光λＢを領域コーティングフィルタ１０７上に反射し、その後、当該励起光、すなわち青色光λＢが領域コーティングフィルタ１０７及び反射ミラー１０８により反射された後に分光システム１０４に入る。第２の時系列において、励起光源１０１が発光した励起光λＢは、回転カラーホイール１０３の蛍光カラーセグメント２０１１に入射し、当該蛍光カラーセグメント２０１１上の黄色光蛍光体粉末が励起光λＢの照射下で黄色光λＹを発生し、黄色光λＹが領域コーティングフィルタ１０７及び反射ミラー１０８により反射された後に分光システム１０４に入る。第３の時系列において、第１の補償光源１０２１が発光した第１の補償光λＲ２及び第２の補償光源１０２２が発光した第２の補償光λＧ２は、回転カラーホイール１０３の第２の領域２０２に入射し、第２の領域２０２により透過された後に領域コーティングフィルタ１０７に入射し、その後、当該第１の補償光、すなわち赤色光λＲ２及び第２の補償光、すなわちシアン光λＧ２が領域コーティングフィルタ１０７及び反射ミラー１０８により反射された後に分光システム１０４に入る。
【００４７】
第１の時系列において、分光システム１０４は反射後の励起光、すなわち青色光λＢを第２の光路に沿って伝送させることにより、第２の光変調器１０６が青色光λＢを変調し、第１の光変調器１０５が第１の時系列においてフリーであるので、第１の時系列において第１の光変調器１０５を接地させることができ、図６に示すように、デコーダＤＶＩはソース信号を復号した後にフレーム毎の画像のＲＧＢ信号を出力し、これにより、第１の光変調器１０５のプロセッサＤＤＰ１とデジタルマイクロミラーデバイスＤＭＤ１、及び第２の光変調器１０６のプロセッサＤＤＰ２とデジタルマイクロミラーデバイスＤＭＤ２は、光源から出射された相応的な色の光を変調する。第２の時系列において、分光システム１０４は黄色光λＹを、第１の光路に沿って伝送される赤色光λＲ１及び第２の光路に沿って伝送される緑色光λＧ１に分光することにより、第１の光変調器１０５が赤色光λＲ１を変調し、第２の光変調器１０６が緑色光λＧ１を変調する。第３の時系列において、分光システム１０４は第１の補償光、すなわち赤色光λＲ２を第１の光路に沿って伝送させ、第２の補償光、すなわちシアン光λＧ２を第２の光路に沿って伝送させることにより、第１の光変調器１０５が赤色光λＲ２を変調し、第２の光変調器１０６はシアン光λＧ２を変調し、これにより、変調後の青色光λＢ、赤色光λＲ１、緑色光λＧ１、赤色光λＲ２、シアン光λＧ２を画像に合成して、投影レンズ１１３によってスクリーン上に投影する。
【００４８】
なお、本実施例における投影システムは、励起光源１０１を第１の時系列及び第２の時系列においてオンにし、第３の時系列においてオフにするように制御し、補償光源１０２を第３の時系列においてオンにし、第１の時系列及び第２の時系列においてオフにするように制御するコントローラをさらに含む。そのうち、励起光源１０１及び補償光源１０２のオン・オフの時系列、回転カラーホイール１０３の各カラーセグメントの時系列及び第１の光変調器１０５と第２の光変調器１０６の変調時系列は、図７に示されている。
【００４９】
このように、赤色光λＲ１及び赤色光λＲ２が時系列において混合され、第１の光変調器１０５に同じ信号が与えられた場合、第１の光変調器１０５は、赤色光の色域を増大するように、赤色光λＲ１及び赤色光λＲ２に対して同調に階調変調を行い、同様に、シアン光λＧ２及び緑色光λＧ１が時系列において混合され、第２の光変調器１０６に同じ信号が与えられた場合、第２の光変調器１０６は、緑色光の色域を増大するように、シアン光λＧ２及び緑色光λＧ１に対して同調に階調変調を行い、これにより、合成された投影画像がよりＤＣＩ（Ｄｉｇｉｔａｌ  Ｃｏｐｙｒｉｇｈｔ  Ｉｄｅｎｔｉｆｉｅｒ，デジタル著作権識別子システム）規格及びＲＥＣ．７０９規格を満たし、かつ、異なるプロジェクタに対して、その色座標をＤＣＩ規格及びＲＥＣ．７０９規格の緑色光色座標及び赤色光色座標の近傍に補正して、異なる投影システムの色域を一致させることができる。そのうち、本発明では、補償光により補正された投影画像ＬＰの色域は、図８に示されている。
【００５０】
本実施例が提供する投影システムにおいて、補償光は第２の領域を透過した後に異なる色の光と投影画像に合成し、補償光が蛍光体粉末上に照射する必要がなく直接に透過することにより、投影画像の色域を補正した上、補償光の散乱損失が低減され、補償光の利用率が向上する。
【実施例４】
【００５１】
本実施例は投影システムを提供し、本実施例における投影システムは、上記実施例が提供する投影システムの構造とほぼ同じであり、その相違点は、本実施例における回転カラーホイール４０３は、図３に示すように、第１の領域４０４と第２の領域４０５とを含む。第１の領域４０４は、第１の時系列において励起光の照射下で黄色光を発生する蛍光カラーセグメント４０４１と、第２の時系列において励起光及び第１の補償光を透過させ、または、第２の時系列において励起光及び第２の補償光を透過させる透明カラーセグメント４０４２とを含む。第２の領域４０５は第３の時系列において第１の補償光及び第２の補償光を透過させる具体的に、蛍光カラーセグメント４０４１は、黄色光蛍光体粉末を有するカラーセグメントであり、透明カラーセグメント４０４２及び第２の領域４０５は、透過型拡散カラーセグメントである。
【００５２】
図９に示すように、本実施例における投影システムは、少なくとも一つのダイクロイックミラー、例えばダイクロイックミラー１１４及び１１５をさらに含む。ダイクロイックミラー１１４は、補償光源１０２と回転カラーホイール４０３との間に設けられており、補償光を透過させて励起光を反射するものであり、ダイクロイックミラー１１５は、補償光及び被励起光を透過させて、励起光を反射するものである。
【００５３】
本実施例では、第１の時系列において、励起光源１０１が発光した励起光λＢは順次にコリメートレンズ１１１、領域コーティングフィルタ１０７及び集光レンズ１１２を通過した後に回転カラーホイール４０３の蛍光カラーセグメント４０４１に入射し、当該蛍光カラーセグメント４０４１上の黄色光蛍光体粉末が励起光λＢの照射下で黄色光λＹを発生し、黄色光λＹが領域コーティングフィルタ１０７及び反射ミラー１０８により反射された後に分光システム１０４に入る。第２の時系列において、励起光源１０１が発光した励起光λＢが回転カラーホイール４０３の透明カラーセグメント４０４２に入射し、当該励起光、すなわち、青色光λＢが回転カラーホイール４０３を透過した後、ダイクロイックミラー１１４及び１１５により反射されて分光システム１０４に入り、同時に、第２の時系列において、第１の補償光源１０２１が発光した第１の補償光λＲ２がダイクロイックミラー１１４を透過した後に回転カラーホイール４０３の透明カラーセグメント４０４２に入射し、当該第１の補償光λＲ２が回転カラーホイール４０３を透過した後に、領域コーティングフィルタ１０７及び反射ミラー１０８により反射された後に分光システム１０４に入る。第３の時系列において、第１の補償光源１０２１が発光した第１の補償光λＲ２及び第２の補償光源１０２２が発光した第２の補償光λＧ２は、回転カラーホイール４０３の第２の領域４０５に入射し、第２の領域４０５により透過された後に領域コーティングフィルタ１０７に入射し、その後、当該第１の補償光、すなわち赤色光λＲ２及び第２の補償光、すなわちシアン光λＧ２が領域コーティングフィルタ１０７及び反射ミラー１０８により反射された後に分光システム１０４に入る。
【００５４】
第１の時系列において、分光システム１０４は、黄色光λＹを第１の光路に沿って伝送される赤色光λＲ１及び第２の光路に沿って伝送される緑色光λＧ１に分光し、第１の光変調器１０５が赤色光λＲ１を変調し、第２の光変調器１０６が緑色光λＧ１を変調する。第２の時系列において、分光システム１０４は第１の補償光、すなわち赤色光λＲ２を第１の光路に沿って伝送させ、反射後の励起光、すなわち、青色光λＢを第２の光路に沿って伝送させ、第１の光変調器１０５が第１の補償光、すなわち赤色光λＲ２を変調し、第２の光変調器１０６が青色光λＢを変調する。第３の時系列において、分光システム１０４は、第１の補償光、すなわち赤色光λＲ２を第１の光路に沿って伝送させ、第２の補償光、すなわちシアン光λＧ２を第２の光路に伝送させ、第１の光変調器１０５が赤色光λＲ２を変調し、第２の光変調器１０６がシアン光λＧ２を変調し、これにより、変調後の青色光λＢ、赤色光λＲ１、緑色光λＧ１、赤色光λＲ２、シアン光λＧ２を画像に合成して投影レンズ１１３によってスクリーン上に投影する。そのうち、第１の光変調器１０５及び第２の光変調器１０６の制御方式は図１０に示されている。
【００５５】
なお、本実施例における投影システムは、励起光源１０１を第１の時系列及び第２の時系列においてオンにし、第３の時系列においてオフにするように制御し、第２の補償光源を第３の時系列においてオンにし、第１の時系列及び第２の時系列においてオフにするように制御し、第１の補償光源を第２の時系列及び第３の時系列においてオンにし、第１の時系列においてオフにするように制御するコントローラをさらに含む。そのうち、励起光源１０１、第１の補償光源１０２１及び第２の補償光源１０２２のオン・オフの時系列、回転カラーホイール１０３の各カラーセグメントの時系列及び第１の光変調器１０５と第２の光変調器１０６の変調時系列は、図１１に示されている。
【００５６】
本実施例の他の実施形態において、コントローラはさらに励起光源１０１を常時オンにするように制御し、この場合、分光システム１０４は、第１の時系列において黄色光λＹを第１の光路に沿って伝送される緑色光λＧ１、第２の光路に沿って伝送される赤色光λＲ１及び第３の光路に沿って伝送される励起光λＢに分光し、第２の時系列において第１の補償光、すなわち赤色光λＲ２を第２の光路に沿って伝送させ、透過後の励起光λＢを第１の光路及び第３の光路に沿って伝送させ、第３の時系列において第１の補償光、すなわち赤色光λＲ２を第２の光路に沿って伝送させ、前記第２の補償光、すなわちシアン光λＧ２を第１の光路に沿って伝送させ、透過後の励起光λＢを第３の光路に沿って伝送させ、かつ、光変調システムは、第１の光路から伝送された光を変調する第１の光変調器１０５と、第２の光路から伝送された光を変調する第２の光変調器１０６と、第３の光路から伝送された光を変調する第３の光変調器（図示せず）とを含み、変調タイミングチャートは図１２に示されている。
【００５７】
本発明の他の実施例において、コントローラは、励起光源１０１を第１の時系列及び第２の時系列においてオンにし、第３の時系列においてオフにするように制御し、第１の補償光源１０２１を第３の時系列においてオンにし、第１の時系列及び第２の時系列においてオフにするように制御し、第２の補償光源１０２２を第２の時系列及び第３の時系列においてオンにし、第１の時系列においてオフにするように制御する。そのうち、励起光源１０１、第１の補償光源１０２１及び第２の補償光源１０２２のオン・オフの時系列、回転カラーホイール１０３の各カラーセグメントの時系列及び第１の光変調器１０５と第２の光変調器１０６の変調時系列は、図１３に示されている。
【００５８】
本実施例の他の実施形態において、コントローラは、さらに励起光源１０１を常時オンにするように制御し、この場合、前記分光システムは、第１の時系列において前記黄色光λＹを第１の光路に沿って伝送される赤色光λＲ１、第２の光路に沿って伝送される緑色光λＧ１及び第３の光路に沿って伝送される励起光λＢに分光し、第２の時系列において透過後の励起光λＢを第１の光路及び第３の光路に沿って伝送させ、第２の補償光、すなわちシアン光λＧ２を第２の光路に沿って伝送させ、第３の時系列において第１の補償光、すなわち赤色光λＲ２を第１の光路に沿って伝送させ、第２の補償光、すなわちシアン光λＧ２を第２の光路に沿って伝送させ、透過後の励起光λＢを第３の光路に沿って伝送させる。そして、光変調システムは、第１の光路から伝送された光を変調する第１の光変調器１０５と、第２の光路から伝送された光を変調する第２の光変調器１０６と、第３の光路から伝送された光を変調する第３の光変調器（図示せず）とを含み、変調タイミングチャートは図１４に示されている。
【００５９】
第１の時系列において、励起光源１０１が発光した励起光λＢは、順次にコリメートレンズ１１１、領域コーティングフィルタ１０７及び集光レンズ１１２を通過した後に回転カラーホイール４０３の蛍光カラーセグメント４０４１に入射し、当該蛍光カラーセグメント４０４１上の黄色光蛍光体粉末が励起光λＢの照射下で黄色光λＹを発生し、黄色光λＹが領域コーティングフィルタ１０７及び反射ミラー１０８により反射された後に分光システム１０４に入る。第２の時系列において、励起光源１０１が発光した励起光λＢは回転カラーホイール４０３の透明カラーセグメント４０４２に入射し、当該励起光、すなわち、青色光λＢが回転カラーホイール４０３を透過した後、ダイクロイックミラー１１４及び１１５により反射されて分光システム１０４に入り、同時に、第２の時系列において、第２の補償光源１０２２が発光した第２の補償光λＧ２がダイクロイックミラー１１４を透過した後に回転カラーホイール４０３の透明カラーセグメント４０４２に入射し、当該第２の補償光λＧ２が回転カラーホイール４０３を透過した後に、領域コーティングフィルタ１０７及び反射ミラー１０８により反射された後に分光システム１０４に入る。第３の時系列において、第１の補償光源１０２１が発光した第１の補償光λＲ２及び第２の補償光源１０２２が発光した第２の補償光λＧ２が回転カラーホイール４０３の第２の領域４０５に入射し、第２の領域４０５により透過された後に領域コーティングフィルタ１０７に入射し、その後、当該第１の補償光、すなわち赤色光λＲ２及び第２の補償光、すなわちシアン光λＧ２は領域コーティングフィルタ１０７及び反射ミラー１０８により反射された後に分光システム１０４に入る。
【００６０】
第１の時系列において、分光システム１０４は、黄色光λＹを第１の光路に沿って伝送される赤色光λＲ１及び第２の光路に沿って伝送される緑色光λＧ１に分光し、第１の光変調器１０５が赤色光λＲ１変調をし、第２の光変調器１０６が緑色光λＧ１を変調する。第２の時系列において、分光システム１０４は反射後の励起光、すなわち青色光λＢを第１の光路に沿って伝送させ、第２の補償光、すなわちシアン光λＧ２を第２の光路に沿って伝送させ、第１の光変調器１０５が青色光λＢを変調し、第２の光変調器１０６がシアン光λＧ２を変調する。第３の時系列において、分光システム１０４は第１の補償光、すなわち赤色光λＲ２を第１の光路に沿って伝送させ、第２の補償光、すなわちシアン光λＧ２を第１の光路に沿って伝送させ、第１の光変調器１０５が赤色光λＲ２を変調し、第２の光変調器１０６がシアン光λＧ２を変調し、これにより、変調後の青色光λＢ、赤色光λＲ１、緑色光λＧ１、赤色光λＲ２、シアン光λＧ２を画像に合成して、投影レンズ１１３によってスクリーン上に投影される。第１の光変調器１０５及び第２の光変調器１０６の制御方式は図１５に示されている。本実施例が提供する投影システムは、第１の補償光によって赤色光の色域を補償し、第２の補償光によって緑色光の色域を補償し、かつ、補償光が蛍光体粉末上に照射する必要がなく直接に透過することにより、投影画像の色域を補正した上、補償光の散乱損失が低減され、補償光の利用率が向上する。
【００６１】
本明細書において各実施例について段階的に説明しており、各々の実施例について他の実施例との相違点を中心として説明し、各々の実施例間の同一や類似する部分については互いに参照すればよい。実施例に公開の装置に対して、実施例に公開の方法に対応するので、その説明が比較的に簡単であり、関連する部分については方法部分の説明を参照すればよい。
【００６２】
公開する実施例の上記説明は、当業者が本発明を実現又は使用できるようなものである。これらの実施例に対する種々の変更は当業者にとって自明であり、本明細書において定義される一般原理は、本発明の旨又は範囲を逸脱しない限り、その他の実施例で実現可能である。したがって、本発明は本明細書に示されるこれらの実施例に限られず、本明細書に公開の原理及び新規な特徴に一致する最も広い範囲である。
【図１】
0006547005.tif 000002
【図２】
0006547005.tif 000003
【図３】
0006547005.tif 000004
【図４】
0006547005.tif 000005
【図５】
0006547005.tif 000006
【図６】
0006547005.tif 000007
【図７】
0006547005.tif 000008
【図８】
0006547005.tif 000009
【図９】
0006547005.tif 000010
【図１０】
0006547005.tif 000011
【図１１】
0006547005.tif 000012
【図１２】
0006547005.tif 000013
【図１３】
0006547005.tif 000014
【図１４】
0006547005.tif 000015
【図１５】
0006547005.tif 000016